(57)【要約】  方法は、周波数帯域幅の第１の部分を通じて第１のメッセージを受信することを備える。第１のメッセージは、送信元である第１のワイヤレスデバイスおよび意図された受信先である第２のワイヤレスデバイスの識別子を含む。該方法は、ＰＩＦＳ時間とバックオフタイマーが満了するために必要な時間とのうちの少なくとも１つを含む持続時間について周波数帯域幅の第２の部分がアイドルであるかどうかを決定することを備える。該方法は、第３のワイヤレスデバイスによって周波数帯域幅の第２の部分を通じて第２のメッセージを送信することを備え、該第２のメッセージは、第１のメッセージの送信時間を超えて延びない限られた送信時間を有し、それによって、第１のメッセージの送信時間の終了後に使用するための第１および第２の部分のアベイラビリティを可能にする。第３のワイヤレスデバイスは、第１のメッセージの意図された受信先ではない。【選択図】図５Ｂ
2017512029.tif 000002
【特許請求の範囲】
【請求項１】
ワイヤレス通信のための方法であって、
周波数帯域幅の第１の部分を通じて第１のメッセージを受信することと、ここで、前記第１のメッセージは、送信元である第１のワイヤレスデバイスおよび意図された受信先である第２のワイヤレスデバイスの識別子を含む、
ポイント協調機能インターフレームスペース（ＰＩＦＳ）時間とバックオフタイマーが満了するために必要な時間とのうちの少なくとも１つを含む持続時間について、前記帯域幅の第２の部分がアイドルであるかどうかを決定することと、
第３のワイヤレスデバイスによって前記周波数帯域幅の前記第２の部分を通じて第２のメッセージを送信することと、ここで、前記第２のメッセージは、前記第１のメッセージの送信時間を超えて延びない限られた送信時間を有し、それによって、前記第１のメッセージの前記送信時間の少なくとも終了後に使用するための前記周波数帯域幅の前記第１および第２の部分のアベイラビリティを可能にしており、ここで、前記第３のワイヤレスデバイスは、前記第１のメッセージの意図された受信先ではない、
を備える、方法。
【請求項２】
前記第２のメッセージの前記限られた送信時間の終わりが前記第１のメッセージの前記送信時間の終わりよりも早くに起こる、請求項１に記載の方法。
【請求項３】
前記第１のメッセージは、前記送信元である第１のワイヤレスデバイスおよび前記意図された受信先である第２のワイヤレスデバイスの前記識別子を含む信号フィールドを備える、請求項１に記載の方法。
【請求項４】
前記バックオフタイマーは、前記周波数帯域幅の前記第２の部分内の１つまたは複数のチャネルがアイドルである間デクリメントされる、請求項１に記載の方法。
【請求項５】
前記第２のメッセージは、前記第１のメッセージの受信信号強度インジケータ（ＲＳＳＩ）がしきい値を下回るときに送信される、請求項１に記載の方法。
【請求項６】
前記しきい値は、所期の送信電力および基準送信電力に基づく、請求項５に記載の方法。
【請求項７】
前記第３のワイヤレスデバイスが前記第１のメッセージの前記意図された受信先ではないときに、前記第３のワイヤレスデバイスによって前記周波数帯域幅の前記第２の部分を通じて送信要求（ＲＴＳ）メッセージを送信することと、
前記周波数帯域幅の前記第２の部分を通じて前記ＲＴＳメッセージに応答して送信可（ＣＴＳ）メッセージを受信することと、
をさらに備える、請求項１に記載の方法。
【請求項８】
前記第３のワイヤレスデバイスは、前記周波数帯域幅の第３の部分が少なくとも前記ＰＩＦＳ時間についてアイドルであるときに、前記周波数帯域幅の前記第２の部分に含まれる前記周波数帯域幅の前記第３の部分を通じて前記第２のメッセージを送信する、請求項１に記載の方法。
【請求項９】
ワイヤレス通信のための装置であって、
周波数帯域幅の第１の部分を通じて第１のメッセージを受信するように構成された受信機と、ここで、前記第１のメッセージは、送信元である第１のワイヤレスデバイスおよび意図された受信先である第２のワイヤレスデバイスの識別子を含む、
ポイント協調機能インターフレームスペース（ＰＩＦＳ）時間とバックオフタイマーが満了するために必要な時間とのうちの少なくとも１つを含む持続時間について前記周波数帯域幅の第２の部分がアイドルであるかどうかを決定するように構成されたプロセッサと、
前記周波数帯域幅の前記第２の部分を通じて第２のメッセージを送信するように構成された送信機と、ここで、前記第２のメッセージは、前記第１のメッセージの送信時間を超えて延びない限られた送信時間を有し、それによって、前記第１のメッセージについての前記送信時間の少なくとも終了後に使用するための前記周波数帯域幅の前記第１および第２の部分のアベイラビリティを可能にし、ここで、前記装置は、前記第１のメッセージの意図された受信先ではない、
を備える、装置。
【請求項１０】
前記第２のメッセージの前記限られた送信時間の終わりが前記第１のメッセージの前記送信時間の終わりよりも早くに起こる、請求項９に記載の装置。
【請求項１１】
前記第１のメッセージは、前記送信元である第１のワイヤレスデバイスおよび前記意図された受信先である第２のワイヤレスデバイスの前記識別子を含む信号フィールドを備える、請求項９に記載の装置。
【請求項１２】
前記バックオフタイマーは、前記周波数帯域幅の前記第２の部分内の１つまたは複数のチャネルがアイドルである間デクリメントされる、請求項９に記載の装置。
【請求項１３】
前記第２のメッセージは、前記第１のメッセージの受信信号強度インジケータ（ＲＳＳＩ）がしきい値を下回るときに送信される、請求項９に記載の装置。
【請求項１４】
前記しきい値は、所期の送信電力および基準送信電力に基づく、請求項１３に記載の装置。
【請求項１５】
前記送信機は、前記装置が前記第１のメッセージの前記意図された受信先ではないときに前記周波数帯域幅の前記第２の部分を通じて送信要求（ＲＴＳ）メッセージを送信するようにさらに構成され、
前記受信機は、前記ＲＴＳメッセージに応答して前記周波数帯域幅の前記第２の部分を通じて送信可（ＣＴＳ）メッセージを受信するようにさらに構成された、
請求項９に記載の装置。
【請求項１６】
前記送信機は、前記周波数帯域幅の第３の部分が少なくとも前記ＰＩＦＳ時間についてアイドルであるときに、前記周波数帯域幅の前記第２の部分に含まれる前記周波数帯域幅の前記第３の部分を通じて前記第２のメッセージを送信するように構成された、請求項９に記載の装置。
【請求項１７】
コードを備える非一時的なコンピュータ可読媒体であって、前記コードは、実行されたときに、ワイヤレス通信のための装置のプロセッサに、
周波数帯域幅の第１の部分を通じて第１のメッセージを受信することと、ここで、前記第１のメッセージは、送信元である第１のワイヤレスデバイスおよび意図された受信先である第２のワイヤレスデバイスの識別子を含む、
ポイント協調機能インターフレームスペース（ＰＩＦＳ）時間とバックオフタイマーが満了するために必要な時間とのうちの少なくとも１つを含む持続時間について、前記周波数帯域幅の第２の部分がアイドルであるかどうかを決定することと、
前記周波数帯域幅の前記第２の部分を通じて第２のメッセージを送信することと、ここで、前記第２のメッセージは、前記第１のメッセージの送信時間を超えて延びない限られた送信時間を有し、前記装置は、前記第１のメッセージの意図された受信先ではない、
を行わせる、媒体。
【請求項１８】
前記第２のメッセージの前記限られた送信時間の終わりが前記第１のメッセージの前記送信時間の終わりよりも早くに起こる、請求項１７に記載の媒体。
【請求項１９】
前記第１のメッセージは、前記送信元である第１のワイヤレスデバイスおよび前記意図された受信先である第２のワイヤレスデバイスの前記識別子を含む信号フィールドを備える、請求項１７に記載の媒体。
【請求項２０】
前記バックオフタイマーは、前記周波数帯域幅の前記第２の部分内の１つまたは複数のチャネルがアイドルである間デクリメントされる、請求項１７に記載の媒体。
【請求項２１】
前記第２のメッセージは、前記第１のメッセージの受信信号強度インジケータ（ＲＳＳＩ）がしきい値を下回るときに送信される、請求項１７に記載の媒体。
【請求項２２】
前記しきい値は、所期の送信電力および基準送信電力に基づく、請求項２０に記載の媒体。
【請求項２３】
実行されたときに、前記装置に、
前記装置が前記第１のメッセージの前記意図された受信先ではないときに、前記周波数帯域幅の前記第２の部分を通じて送信要求（ＲＴＳ）メッセージを送信することと、
前記周波数帯域幅の前記第２の部分を通じて前記ＲＴＳメッセージに応答して送信可（ＣＴＳ）メッセージを受信することと、
を行わせるコードをさらに備える、請求項１７に記載の媒体。
【請求項２４】
ワイヤレス通信のための装置であって、
周波数帯域幅の第１の部分を通じて第１のメッセージを受信するための手段と、ここで、前記第１のメッセージは、送信元である第１のワイヤレスデバイスおよび意図された受信先である第２のワイヤレスデバイスの識別子を含む、
ポイント協調機能インターフレームスペース（ＰＩＦＳ）時間とバックオフタイマーが満了するために必要な時間とのうちの少なくとも１つを含む持続時間について前記周波数帯域幅の第２の部分がアイドルであるかどうかを決定するための手段と、
前記周波数帯域幅の前記第２の部分を通じて第２のメッセージを送信するための手段と、ここで、前記第２のメッセージは、前記第１のメッセージの送信時間を超えて延びない限られた送信時間を有し、前記装置は、前記第１のメッセージの意図された受信先ではない、
を備える、装置。
【請求項２５】
前記第２のメッセージの前記限られた送信時間の終わりが前記第１のメッセージの前記送信時間の終わりよりも早くに起こる、請求項２４に記載の装置。
【請求項２６】
前記第１のメッセージは、前記送信元である第１のワイヤレスデバイスおよび前記意図された受信先である第２のワイヤレスデバイスの前記識別子を含む信号フィールドを備える、請求項２４に記載の装置。
【請求項２７】
前記周波数帯域幅の前記第２の部分内の１つまたは複数のチャネルがアイドルである間前記バックオフタイマーをデクリメントするための手段をさらに備える、請求項２４に記載の装置。
【請求項２８】
前記第２のメッセージを送信するための手段は、前記第１のメッセージの受信信号強度インジケータ（ＲＳＳＩ）がしきい値を下回るときに前記第２のメッセージを送信するように構成される、請求項２４に記載の装置。
【請求項２９】
前記しきい値は、所期の送信電力および基準送信電力に基づく、請求項２８に記載の装置。
【請求項３０】
前記装置が前記第１のメッセージの前記意図された受信先ではないときに、前記周波数帯域幅の前記第２の部分を通じて送信要求（ＲＴＳ）メッセージを送信するための手段と、
前記周波数帯域幅の前記第２の部分を通じて前記ＲＴＳメッセージに応答して送信可（ＣＴＳ）メッセージを受信するための手段と、
をさらに備える、請求項２４に記載の装置。
【発明の詳細な説明】
【技術分野】
【０００１】
[0001]  本願は、一般にワイヤレス通信に関し、より詳細には、ピアツーピアトラフィックおよび／またはアクセスポイントトラフィックを多重化する方法およびデバイスに関する。
【背景技術】
【０００２】
[0002]  ワイヤレスネットワークは、ネットワーク要素がモバイルであり、したがって動的な接続性の必要性を有するときに、またはネットワークアーキテクチャが固定式ではなくアドホックなトポロジーで形成される場合に、しばしば好ましい。ワイヤレスネットワークは、無線、マイクロ波、赤外線、光（optical）等の周波数帯の電磁波を使用する非誘導伝搬モードにおいて無形の物理媒体を用いる。ワイヤレスネットワークは、有利には、固定のワイヤードネットワークと比較して、ユーザモビリティと迅速なフィールド展開とを容易にする。
【０００３】
[0003]  しかしながら、マルチプルなワイヤレスネットワークが、同じ建物内、近くの建物内、および／または同じ屋外エリア内に存在することがある。マルチプルなワイヤレスネットワークの普及は、（たとえば、各ワイヤレスネットワークが同じエリアおよび／またはスペクトルにおいて動作しているので）干渉を生じ、スループットの低下をまねき、および／または特定のデバイスが通信するのを妨げることがある。したがって、ワイヤレスネットワークが密集しているときに通信するための改善されたシステム、方法、およびデバイスが望まれる。
【発明の概要】
【０００４】
[0004]  本明細書に記載のシステム、方法、およびデバイスは、各々、いくつかの態様を有しており、それらのうちの単一の態様が単独でその望ましい属性を担うわけではない。本願の範囲を限定することなしに、ここで、いくつかの特徴について簡単に説明する。この説明を考慮すれば、特に「詳細な説明」と題されるセクションを読めば、本明細書の１つまたは複数の実装形態の特徴が、ワイヤレスネットワークにおけるアクセスポイントと局との間の通信の改善を含む利点をどのように提供するかが理解されよう。
【０００５】
[0005]  本開示の一態様は、ワイヤレス通信のための方法を提供する。該方法は、周波数帯域幅の第１の部分を通じて第１のメッセージを受信することを含み、ここで、該第１のメッセージは、送信元である第１のワイヤレスデバイスおよび意図された受信先（intended recipient）である第２のワイヤレスデバイスの識別子を含む。該方法は、ポイント協調機能インターフレームスペース（ＰＩＦＳ：point coordination function interframe space）時間とバックオフタイマーが満了するために必要な時間とのうちの少なくとも１つを含む持続時間について、帯域幅の第２の部分がアイドルであるかどうかを決定することを備える。該方法は、第３のワイヤレスデバイスによって周波数帯域幅の第２の部分を通じて第２のメッセージを送信することを備える。第２のメッセージは、第１のメッセージの送信時間を超えて延びない限られた送信時間を有しており、それによって、第１のメッセージの送信時間の少なくとも終了後に使用するための周波数帯域幅の第１および第２の部分のアベイラビリティを可能にしている。第３のワイヤレスデバイスは、第１のメッセージの意図された受信先ではない。
【０００６】
[0006]  本開示の他の態様は、ワイヤレス通信のための装置を提供する。該装置は、周波数帯域幅の第１の部分を通じて第１のメッセージを受信するように構成された受信機を含み、ここで、該第１のメッセージは、送信元である第１のワイヤレスデバイスおよび意図された受信先である第２のワイヤレスデバイスの識別子を含む。該装置は、ポイント協調機能インターフレームスペース（ＰＩＦＳ）時間とバックオフタイマーが満了するために必要な時間とのうちの少なくとも１つを含む持続時間について、周波数帯域幅の第２の部分がアイドルであるかどうかを決定するように構成されたプロセッサをさらに含む。該装置は、周波数帯域幅の第２の部分を通じて第２のメッセージを送信するように構成された送信機をさらに含み、ここで、該第２のメッセージは、第１のメッセージの送信時間を超えて延びない限られた送信時間を有しており、それによって、第１のメッセージに関する送信時間の少なくとも終了後に使用するための周波数帯域幅の第１および第２の部分のアベイラビリティを可能にしており、該装置は、第１のメッセージの意図された受信先ではない。
【０００７】
[0007]  本開示の他の態様は、コードを備える非一時的コンピュータ可読媒体であって、該コードは、実行されたときに、ワイヤレス通信のための装置のプロセッサに、周波数帯域幅の第１の部分を通じて第１のメッセージを受信することを行わせ、ここで、該第１のメッセージは、送信元である第１のワイヤレスデバイスおよび意図された受信先である第２のワイヤレスデバイスの識別子を含む、非一時的コンピュータ可読媒体を提供する。該コードは、実行されたときに、プロセッサに、ポイント協調機能インターフレームスペース（ＰＩＦＳ）時間とバックオフタイマーが満了するために必要な時間とのうちの少なくとも１つを含む持続時間について、周波数帯域幅の第２の部分がアイドルであるかどうかを決定することを行わせる。該コードは、実行されたときに、プロセッサに、周波数帯域幅の第２の部分を通じて第２のメッセージを送信することを行わせ、ここで、第２のメッセージは、第１のメッセージの送信時間を超えて延びない限られた送信時間を有しており、該装置は、第１のメッセージの意図された受信先ではない。
【０００８】
[0008]  本開示の他の態様は、ワイヤレス通信のための装置を提供する。該装置は、周波数帯域幅の第１の部分を通じて第１のメッセージを受信するための手段を含み、ここで、該第１のメッセージは、送信元である第１のワイヤレスデバイスおよび意図された受信先である第２のワイヤレスデバイスの識別子を含む。該装置は、ポイント協調機能インターフレームスペース（ＰＩＦＳ）時間とバックオフタイマーが満了するために必要な時間とのうちの少なくとも１つを含む持続時間について、周波数帯域幅の第２の部分がアイドルであるかどうかを決定するための手段をさらに備える。該装置は、周波数帯域幅の第２の部分を通じて第２のメッセージを送信するための手段をさらに備え、ここで、該第２のメッセージは、第１のメッセージの送信時間を超えて延びない限られた送信時間を有しており、該装置は、第１のメッセージの意図された受信先ではない。
【図面の簡単な説明】
【０００９】
【図１】[0009]  本開示の態様が用いられ得るワイヤレス通信システムを示す図である。
【図２Ａ】[0010]  マルチプルなワイヤレス通信ネットワークが存在する、ワイヤレス通信システムを示す図である。
【図２Ｂ】[0011]  マルチプルなワイヤレス通信ネットワークが存在する、別のワイヤレス通信システムを示す図である。
【図３】[0012]  図１および図２Ｂのワイヤレス通信システム内で用いられ得る周波数多重化技法を示す図である。
【図４】[0013]  図１、図２Ｂ、図３、および図５Ａ〜５Ｃのワイヤレス通信システム内で用いられ得るワイヤレスデバイスの機能ブロック図である。
【図５Ａ】[0014]  本開示の態様が用いられ得るワイヤレス通信システムを示す図である。
【図５Ｂ】[0015]  本開示の態様が用いられ得るタイミング図である。
【図５Ｃ】[0016]  本開示の態様が用いられ得る別のタイミング図である。
【図６】[0017]  ワイヤレス通信のための方法のフローチャートである。
【詳細な説明】
【００１０】
[0018]  添付の図面を参照しながら、新規のシステム、装置、および方法の様々な態様について、以下でより詳細に説明する。しかしながら、本開示は、多くの異なる形態で具現化されることができ、本開示全体にわたって提示されるいずれか特定の構造または機能に限定されるものと解釈されるべきではない。むしろ、これらの態様は、本開示が徹底的かつ完全なものとなり、本開示の範囲を当業者に十分に伝達するように、提供されるものである。本明細書の教示に基づけば、本開示の範囲が、任意の他の態様とは独立して実装されるにせよ、任意の他の態様と組み合わせて実装されるにせよ、本明細書で開示する新規のシステム、装置、および方法の任意の態様を包含するものであることが、当業者には理解されよう。たとえば、本明細書に記載の任意の数の態様を使用して、装置が実装され得、または方法が実施され得る。加えて、本開示の範囲は、本明細書に記載の様々な態様に加えて、またはそれらの態様以外に、他の構造、機能、または構造および機能を使用して実施される、装置または方法を包含するものである。本明細書で開示する任意の態様は、請求項の１つまたは複数の要素によって具現化され得ることを理解されたい。
【００１１】
[0019]  特定の態様について本明細書で説明するが、これらの態様の多くの変形および置換が本開示の範囲内に入る。好ましい態様のいくつかの利益および利点に言及するが、本開示の範囲は、特定の利益、使用、または目的に限定されるものではない。むしろ、本開示の態様は、異なるワイヤレス技術、システム構成、ネットワーク、および伝送プロトコルに広く適用可能なものであり、それらのうちのいくつかが図面および好ましい態様についての以下の説明において例として示されている。詳細な説明および図面は、限定するものではなく、本開示の例示にすぎず、本開示の範囲は、添付の特許請求の範囲およびその均等物によって定義される。
【００１２】
[0020]  普及しているワイヤレスネットワーク技術は、様々なタイプのワイヤレスローカルエリアネットワーク（ＷＬＡＮ）を含み得る。ＷＬＡＮは、広く使用されているネットワーキングプロトコルを利用して、近くのデバイスを一緒に相互接続するために使用され得る。本明細書で説明する様々な態様は、ワイヤレスプロトコルなどの任意の通信規格に適用され得る。
【００１３】
[0021]  いくつかの態様では、本明細書で開示する技法を使用する高効率８０２．１１プロトコルを実装しているいくつかのデバイスは、同じエリアにおける増大したピアツーピア（Ｐ２Ｐ）サービス（たとえば、Ｍｉｒａｃａｓｔ、ＷｉＦｉ  Ｄｉｒｅｃｔ（登録商標）Ｓｅｒｖｉｃｅｓ、Ｓｏｃｉａｌ  ＷｉＦｉ（登録商標）など）を可能にすること、増大したユーザ当たり最小スループット要件をサポートすること、より多くのユーザをサポートすること、改善された屋外カバレージおよびロバストネスをもたらすこと、および／または他のワイヤレスプロトコルを実装しているデバイスよりも少ない電力を消費することを含み得る。
【００１４】
[0022]  いくつかの実装形態では、ＷＬＡＮは、ワイヤレスネットワークにアクセスするコンポーネントである様々なデバイスを含む。たとえば、２つのタイプのデバイス、すなわち、アクセスポイント（「ＡＰ」）および局（「ＳＴＡ」）が存在し得る。一般に、ＡＰは、ＷＬＡＮのためのハブまたは基地局として機能することができる。ＡＰはまた、ノードＢ、無線ネットワークコントローラ（「ＲＮＣ」）、ｅノードＢ、基地局コントローラ（「ＢＳＣ」）、ベーストランシーバ局（「ＢＴＳ」）、基地局（「ＢＳ」）、トランシーバ機能（「ＴＦ」）、無線ルータ、無線トランシーバ、もしくは何らかの他の用語を備えるか、それらのいずれかとして実装されるか、またはそれらのいずれかとして知られ得る。
【００１５】
[0023]  一般に、ＳＴＡは、ＷＬＡＮのユーザとして機能する。ＳＴＡは、また、アクセス端末（「ＡＴ」）、加入者局、加入者ユニット、移動局、リモート局、リモート端末、ユーザ端末、ユーザエージェント、ユーザデバイス、ユーザ機器、もしくは何らかの他の用語を備えるか、それらのいずれかとして実装されるか、またはそれらのいずれかとして知られ得る。ＳＴＡは、ラップトップコンピュータ、携帯情報端末（ＰＤＡ）、携帯電話、セッション開始プロトコル（「ＳＩＰ」）電話、ワイヤレスローカルループ（「ＷＬＬ」）局、携帯情報端末（「ＰＤＡ」）、ワイヤレス接続機能を有するハンドヘルドデバイス、またはワイヤレスモデムに接続された何らかの他の好適な処理デバイスであり得る。したがって、本明細書で教示する１つまたは複数の態様は、電話（たとえば、セルラー電話またはスマートフォン）、コンピュータ（たとえば、ラップトップ）、ポータブル通信デバイス、ヘッドセット、ポータブルコンピューティングデバイス（たとえば、携帯情報端末）、エンターテインメントデバイス（たとえば、音楽デバイスもしくはビデオデバイス、または衛星ラジオ）、ゲームデバイスまたはゲームシステム、全地球測位システムデバイス、あるいはワイヤレス媒体を介して通信するように構成された任意の他の好適なデバイスに組み込まれ得る。いくつかの実装形態では、ＳＴＡは、また、ＡＰとして使用され得る。
【００１６】
[0024]  図１は、本開示の態様が用いられ得るワイヤレス通信システム１００を示す。ワイヤレス通信システム１００は、ワイヤレス規格、たとえば、高効率８０２．１１規格に準拠して動作し得る。ワイヤレス通信システム１００は、ＳＴＡ１０６と通信するＡＰ１０４を含み得る。
【００１７】
[0025]  ＡＰ１０４とＳＴＡ１０６との間のワイヤレス通信システム１００における送信のために、様々なプロセスおよび方法が使用され得る。たとえば、信号は、ＯＦＤＭ／ＯＦＤＭＡ技法に従って、ＡＰ１０４とＳＴＡ１０６との間で送信され、受信され得る。そのような実装形態では、ワイヤレス通信システム１００は、ＯＦＤＭ／ＯＦＤＭＡシステムと呼ばれ得る。代替的に、信号は、符号分割多元接続（ＣＤＭＡ）技法に従って、ＡＰ１０４とＳＴＡ１０６との間で送信され、受信され得る。そのような実装形態では、ワイヤレス通信システム１００は、ＣＤＭＡシステムと呼ばれ得る。ＡＰ１０４からＳＴＡ１０６のうちの１つまたは複数への送信を容易にする通信リンクは、ダウンリンク（ＤＬ）、順方向リンク、もしくは順方向チャネル１０８と呼ばれることがあり、ＳＴＡ１０６のうちの１つまたは複数からＡＰ１０４への送信を容易にする通信リンクは、アップリンク（ＵＬ）、逆方向リンク、もしくは逆方向チャネル１１０と呼ばれることがある。
【００１８】
[0026]  ＡＰ１０４は、基地局として働き、基本サービスエリア（ＢＳＡ）１０２においてワイヤレス通信カバレージを提供することができる。ＡＰ１０４は、そのＡＰ１０４に関連付けられた、そのＡＰ１０４を通信のために使用するＳＴＡ１０６とともに、基本サービスセット（ＢＳＳ）と呼ばれることがある。ワイヤレス通信システム１００は、中央ＡＰを有しないことがあり、むしろ、ＳＴＡ１０６間のピアツーピアネットワークとして機能し得ることに留意されたい。したがって、本明細書で説明するＡＰ１０４の機能は、代替的に、ＳＴＡ１０６のうちの１つまたは複数によって実行され得る。
【００１９】
[0027]  いくつかの態様では、ＳＴＡ１０６は、ＡＰ１０４に通信を送るために、および／またはＡＰ１０４から通信を受けるために、ＡＰ１０４に関連付け（associate）することが必要とされ得る。一態様では、関連付けのための情報は、ＡＰ１０４によるブロードキャスト中に含まれる。そのようなブロードキャストを受信するために、ＳＴＡ１０６は、たとえば、カバレージ領域にわたって広カバレージ探索を実行し得る。探索はまた、ＳＴＡ１０６により、たとえば、灯台方式でカバレージ領域をスイープすることによって実行され得る。関連付けのための情報を受信した後、ＳＴＡ１０６は、アソシエーションプローブまたは要求などの基準信号をＡＰ１０４に送信することができる。いくつかの態様では、ＡＰ１０４は、たとえば、インターネットまたは公衆交換電話網（ＰＳＴＮ）などのより大きいネットワークと通信するために、バックホールサービスを使用し得る。
【００２０】
[0028]  いくつかの実施形態では、ＡＰ１０４は、ＡＰ高効率ワイヤレスコンポーネント（ＨＥＷＣ）１５４を含む。ＡＰ  ＨＥＷＣ１５４は、高効率８０２．１１プロトコルを使用して、ＡＰ１０４とＳＴＡ１０６との間の通信を可能にするために、本明細書で説明する動作の一部または全部を実行し得る。ＡＰ  ＨＥＷＣ１５４の機能については、図２Ｂ、図３、図４、図５Ａ〜Ｃ、および図６に関して以下でより詳細に説明する。
【００２１】
[0029]  代替的にまたは追加として、ＳＴＡ１０６は、ＳＴＡ  ＨＥＷＣ１５６を含み得る。ＳＴＡ  ＨＥＷＣ１５６は、高効率８０２．１１プロトコルを使用して、ＳＴＡ１０６とＡＰ１０４との間の通信を可能にするために、本明細書で説明する動作の一部または全部を実行し得る。ＳＴＡ  ＨＥＷＣ１５６の機能について、図２Ｂ、図３、図４、図５Ａ〜Ｃ、および図６に関して以下でより詳細に説明する。
【００２２】
[0030]  いくつかの状況では、ＢＳＡは、他のＢＳＡの近くに位置することがあり、これは、マルチプルなワイヤレス通信ネットワークが存在するワイヤレス通信システム２００を示す、図２Ａに関してより詳細に示される。図２Ａに示すように、ＢＳＡ２０２Ａ、２０２Ｂ、および２０２Ｃは物理的に互いの近くに位置し得る。ＢＳＡ２０２Ａ〜２０２Ｃが極めて近接しているにもかかわらず、ＡＰ２０４Ａ〜２０４Ｃおよび／またはＳＴＡ２０６Ａ〜２０６Ｈは、それぞれ同じスペクトルを使用して（例えば、周波数帯またはチャネルの同じ集合を用いて）通信し得る。したがって、ＢＳＡ２０２Ｃ内のデバイス（たとえば、ＡＰ２０４Ｃ）がデータを送信している場合、ＢＳＡ２０２Ｃの外にあるデバイス（たとえば、ＡＰ２０４Ａ〜２０４ＢまたはＳＴＡ２０６Ａ〜２０６Ｆ）が、媒体上で通信を検知することがある。
【００２３】
[0031]  一般に、通常の８０２．１１プロトコル（たとえば、８０２．１１ａ、８０２．１１ｂ、８０２．１１ｇ、８０２．１１ｎなど）を使用するワイヤレスネットワークは、媒体アクセスのためのキャリア検知多元接続（ＣＳＭＡ）機構の下で動作する。ＣＳＭＡによれば、デバイスは、媒体を検知し、媒体がアイドル状態であると検知されたときのみ送信する。したがって、ＡＰ２０４Ａ〜２０４Ｃおよび／またはＳＴＡ２０６Ａ〜２０６ＨがＣＳＭＡ機構に従って動作しており、ＢＳＡ２０２Ｃ内のデバイス（たとえば、ＡＰ２０４Ｃ）がデータを送信している場合、ＢＳＡ２０２Ｃの外にあるＡＰ２０４Ａ〜２０４Ｂおよび／またはＳＴＡ２０６Ａ〜２０６Ｆは、それらが異なるＢＳＡの一部であっても、媒体を通じて送信しないことがある。
【００２４】
[0032]  図２Ａは、そのような状況を示す。ＡＰ２０４Ｃは、媒体を通じて送信している様子が示されている。送信は、ＡＰ２０４Ｃと同じＢＳＡ２０２Ｃ内にあるＳＴＡ２０６Ｇによって検知され、またＡＰ２０４Ｃとは異なるＢＳＡ内にあるＳＴＡ２０６Ａによって検知される。送信は、ＳＴＡ２０６Ｇおよび／またはＢＳＡ２０２Ｃ内のＳＴＡのみにアドレス指定されたものであり得るが、それにもかかわらず、ＳＴＡ２０６Ａは、ＡＰ２０４Ｃ（および任意の他のデバイス）がもはや媒体上で送信しなくなるまで、通信（たとえば、ＡＰ２０４Ａとの間の）を送信または受信することができないことがある。図示されていないが、同じことが、ＢＳＡ２０２Ｂ内のＳＴＡ２０６Ｄ〜２０６Ｆおよび／またはＢＳＡ２０２Ａ内のＳＴＡ２０６Ｂ〜２０６Ｃに当てはまり得る（たとえば、ＡＰ２０４Ｃによる送信が、媒体上で他のＳＴＡがその送信を検知できるほどに強い場合）。
【００２５】
[0033]  ＣＳＭＡ機構の使用は、ＢＳＡの外にあるいくつかのＡＰまたはＳＴＡが、そのＢＳＡ内のＡＰまたはＳＴＡによって行われた送信に干渉することなくデータを送信し得ることも考えられるので、非効率性を生み出すおそれがある。アクティブなワイヤレスデバイスの数が増加し続けるにつれて、非効率性は、ネットワークレイテンシーおよびスループットに著しく影響を及ぼし始めることがある。たとえば、アパートビルにおいては、各住戸がアクセスポイントと関連付けられた局とを含み得る。いくつかのケースでは、各住戸は、居住者がワイヤレスルータ、ビデオゲームコンソール、および／またはワイヤレスメディアセンター機能を有するテレビジョン、パーソナルホットスポットのように働くことができる携帯電話などを所有し得るので、マルチプルなアクセスポイントを含み得る。
【００２６】
[0034]  そのような非効率は、居住エリアだけに限定されない。たとえば、マルチプルなアクセスポイントが、空港、地下鉄の駅、および／または他の人口密度の高い公共空間に位置し得る。現在、ＷｉＦｉアクセスは、これらの公共空間では有料で提供されていることがある。ＣＳＭＡ機構によってもたらされる非効率性が是正されない場合、ワイヤレスネットワークの事業者は、料金および低いサービス品質が利益を上回り始めると、顧客を失う可能性がある。したがって、ＣＳＭＡ機構の非効率性を是正することが、レイテンシーおよびスループットの問題ならびに全体的なユーザ不満足を回避するために不可欠であり得る。
【００２７】
[0035]  ＣＳＭＡ機構の非効率に対してプラスの影響およびマイナスの影響の両方を有する別の機能は、ＳＴＡがＢＳＳ内の別のＳＴＡと直接通信する、ピアツーピア（Ｐ２Ｐ）アプリケーションである。Ｐ２Ｐアプリケーションは、今後数年の間によりユビキタスになると予想される。例えば、携帯電話は、他の携帯電話と直接通信する能力（例えば、写真、音楽、ビデオなどを共有するために）をますます有するようになっている。互いに直接通信することによって、ＳＴＡは、すべてのＳＴＡ通信がはじめにＡＰを通過しなければならないという要件を取り除くことにより、いくらかの潜在的なレイテンシーの問題を回避することができる。
【００２８】
[0036]  Ｐ２Ｐ通信のために使用され得る２つの主要なプロトコルがある。１つ目の、ＩＥＥＥによって定められたトンネルダイレクトリンクセットアップ（ＴＤＬＳ：tunneled direct link setup）は、同じＡＰに関連づけられたＳＴＡ間のピアツーピア通信を可能にする。２つ目の、Ｗｉ−ＦｉアライアンスプロトコルであるＷｉＦｉ  Ｄｉｒｅｃｔは、ＳＴＡが、ＡＰと同様に振る舞い、そのエリア内に同様に備えられた他の任意のＳＴＡに接続することを可能にする。
【００２９】
[0037]  現在、２つのＢＳＳのプライマリチャネルが異なる周波数に設定される限り、異なるＢＳＳからの送信が、同じ動作ＢＷの異なる部分にわたって同時に起こることは既に可能とされている。同様に、Ｐ２Ｐ送信（ＴＤＬＳを含む）は、ディスジョイント（disjoint）なチャネルで起こり得る。しかしながら、現在の標準は、周波数帯域幅の最適な再使用をもたらさない場合がある。さらに、現在の標準は、異なるＢＳＳからのワイヤレスデバイスが互いに通信する必要がないことを想定している。このような非同期動作モードでは、異なったＢＳＳが互いに「隠れた（hidden）」ものとなる。
【００３０】
[0038]  さらに、いずれのＰ２Ｐプロトコルも、ピアツーピア送信（例えば、ＢＳＳ内のＳＴＡ間の送信）と、コロケートＡＰ  ＢＳＳ送信（例えば、ＡＰトラフィック通信もしくは送信と呼ばれる、ＢＳＳ内のＡＰとＳＴＡとの間の送信）との間の、明示的な共存を協調させる能力を有していない。このような協調を明示的に定めるプロトコルの欠如は、問題である。例えば、ピアツーピア通信に関与しているＳＴＡは、ＡＰとＳＴＡとの間の通信に干渉し得、その逆もまた同様である。さらに、ネットワークは、ＡＰが別のＳＴＡとの通信を終えるのを待つことをＳＴＡが要求されるとき、またはＰ２Ｐ  ＳＴＡが通信を終えるのを待つことをＡＰが要求されるときには、レイテンシーの増加およびスループットの減少を起こすことがある。
【００３１】
[0039]  したがって、高効率８０２．１１プロトコルとともに使用するための明示的協調機構について本明細書で説明する。協調機構は、周波数において媒体アクセスを多重化することに基づき得る。このようなインプリメンテーションは、同時（concurrent）ピアツーピア、ＳＴＡからＡＰへの、および／またはＡＰからＳＴＡへの、トラフィック通信を可能にする。例えば、通信媒体は、ある特定の周波数帯域幅（例えば、８０ＭＨｚ）を有し得る。通常、周波数帯域幅の一部分または周波数帯域全体が、ＳＴＡへのおよびＳＴＡからの通信中にＡＰによって使用される。しかしながら、本明細書で説明されるように、通信媒体の周波数帯域幅の一部分（例えば、２０ＭＨｚ）がＡＰトラフィック通信のために予約され、一方で、通信媒体の周波数帯域幅の別の部分（例えば、２０ＭＨｚ）がピアツーピア通信のために予約され得る。換言すれば、いくつかの実装形態では、通信媒体は、セグメントまたはチャネルへと分割され得、セグメントまたはチャネルの１つまたは複数が、ＡＰトラフィック通信またはピアツーピア通信のために予約され得る。
【００３２】
[0040]  さらに、広帯域ＢＳＳ（例えば、８０ＭＨｚ）のいくつかの実装形態では、周波数帯域幅の一部分が、リンク条件（例えば、信号対雑音比（ＳＮＲ））の理由から、またはＳＴＡ機能（例えば、８０ＭＨｚＢＳＳ内で動作する２０ＭＨｚのみのＳＴＡ）の理由から、ＳＴＡが限られた周波数帯域幅で送信することに起因して、使用されていない場合がある。ＳＴＡまたはＡＰが限られた周波数帯域幅で送信することを前提とすれば、使用されていない周波数帯域幅セグメントまたはチャネルの部分は、追加の同時送信のために利用可能にされ得る。
【００３３】
[0041]  部分、セグメント、またはチャネルは、各々が、同じ周波数帯域幅を有することができ、あるいは異なる周波数帯域幅のものであることができる。例えば、１つの部分、チャネル、またはセグメントが２０ＭＨｚの周波数帯域幅を有することができ、別のものが４０ＭＨｚの周波数帯域幅を有することができる。さらに、部分、チャネル、またはセグメントは、隣接したものであり得（例えば、部分、チャネル、またはセグメントは、連続的な周波数範囲をカバーする）、または隣接したものでないこともあり得る。２つの部分、チャネル、またはセグメントが各々２０ＭＨｚの周波数帯域幅を有する場合、該２つの部分、チャネル、またはセグメントは、それらが１０００ＭＨｚ〜１０４０ＭＨｚなど、連続的な４０ＭＨｚ範囲をカバーする場合、隣接したものであり得る。
【００３４】
[0042]  したがって、高効率８０２.１１プロトコルは、デバイスが、ＣＳＭＡ非効率を最小限に抑え、ネットワークスループットを増大させる、修正された機構のもとで動作することを可能にし、これについては、以下で、図２Ｂ、図３、図４、図５Ａ〜５Ｃ、および図６に関して説明する。
【００３５】
[0043]  図２Ｂは、マルチプルなワイヤレス通信ネットワークが存在する、ワイヤレス通信システム２５０を示す。図２Ａのワイヤレス通信システム２００とは異なり、図２Ｂのワイヤレス通信システム２５０は、本明細書で説明する高効率８０２．１１規格に従って動作し得る。ワイヤレス通信システム２５０は、ＡＰ２５４Ａと、ＡＰ２５４Ｂと、ＡＰ２５４Ｃとを含み得る。ＡＰ２５４Ａは、ＳＴＡ２５６Ａ〜２５６Ｃに関連付けられてそれらと通信することができ、ＡＰ２５４Ｂは、ＳＴＡ２５６Ｄ〜２５６Ｆに関連付けられてそれらと通信することができ、ＡＰ２５４Ｃは、ＳＴＡ２５６Ｇ〜２５６Ｈに関連付けられてそれらと通信することができる。
【００３６】
[0044]  ＡＰ２５４Ａは、基地局として働き、ＢＳＡ２５２Ａにおいてワイヤレス通信カバレージを提供することができる。ＡＰ２５４Ｂは、基地局として働き、ＢＳＡ２５２Ｂにおいてワイヤレス通信カバレージを提供することができる。ＡＰ２５４Ｃは、基地局として働き、ＢＳＡ２５２Ｃにおいてワイヤレス通信カバレージを提供することができる。各ＢＳＡ２５２Ａ、２５２Ｂ、および／または２５２Ｃが、ＡＰ２５４Ａ、２５４Ｂ、または２５４Ｃを有しないことがあり、むしろＳＴＡ２５６Ａ〜Ｈのうちの１つまたは複数の間のピアツーピア通信を可能にし得ることに留意されたい。したがって、本明細書で説明するＡＰ２５４Ａ〜Ｃの機能は、代替的にＳＴＡ２５６Ａ〜Ｈのうちの１つまたは複数によって実行され得る。
【００３７】
[0045]  いくつかの実装形態では、ＡＰ２５４Ａ〜Ｃおよび／またはＳＴＡ２５６Ａ〜２５６Ｈは、図１に関して前述した高効率ワイヤレスコンポーネントを含む。高効率ワイヤレスコンポーネントは、干渉は起こらないものの、ＣＳＭＡ機構が同時通信を通常は許可しない状況において、媒体を通じた同時通信を可能にすることによって、ＡＰ２５４Ａ〜２５６Ｃおよび／またはＳＴＡ２５６Ａ〜２５６Ｈが、ＣＳＭＡ機構の前述した非効率を最小限に抑える修正された機構を使用することを可能にし得る。この機構は、ピアＳＴＡ間の通信だけに限定されず、また、ＡＰと任意の１つまたは複数のＳＴＡとの間の通信についても企図され得る。高効率ワイヤレスコンポーネントについては、図４に関してさらに詳細に説明する。
【００３８】
[0046]  ＢＳＡ２５２Ａ〜２５２Ｃは、物理的に互いの近くに位置している。たとえば、ＡＰ２５４ＡとＳＴＡ２５６Ｂとが互いに通信しているときには、その通信は、ＢＳＡ２５２Ｂ〜２５２Ｃ内の他のデバイスによって検知され得る。しかしながら、通信は、ＳＴＡ２５６Ｆおよび／またはＳＴＡ２５６Ｇなど、特定のデバイスにしか干渉しないことがあり得る。ＣＳＭＡの下では、ＡＰ２５４Ｂは、ＳＴＡ２５６Ｅと通信することを、そのような通信がＡＰ２５４ＡとＳＴＡ２５６Ｂとの間の通信に干渉しないとしても、許可されないことになる。したがって、高効率８０２．１１プロトコルは、別のＢＳＳのデバイスと同時（concurrently）に通信することができるデバイスと、別のＢＳＳのデバイスと同時に通信することができないデバイスとを区別する、修正された機構の下で動作する。デバイスのそのような分類は、ＡＰ２５４Ａ〜２５４Ｃおよび／またはＳＴＡ２５６Ａ〜２５６Ｈ内の高効率ワイヤレスコンポーネントによって実行され得る。
【００３９】
[0047]  いくつかの実装形態では、デバイスが他のデバイスと同時に通信することができるかどうかの決定は、デバイスのロケーションに基づく。たとえば、ＢＳＡのエッジの近くに位置するＳＴＡは、該ＳＴＡが他のデバイスと同時に通信することができないような状態または状況にあり得る。ＳＴＡ２０６Ａ、２０６Ｆ、および２０６Ｇは、それらが他のデバイスと同時に通信することができない状態または状況にあるデバイスであり得る。同様に、ＢＳＡの中心近くに位置するＳＴＡは、そのＳＴＡが他のデバイスと通信することができるようなステーションまたは状況にあり得る。図２に示すように、ＳＴＡ２０６Ｂ、２０６Ｃ、２０６Ｄ、２０６Ｅ、および２０６Ｈは、それらが他のデバイスと同時に通信することができる状態または状況にあるデバイスであり得る。デバイスの分類が永続的なものではないことに留意されたい。デバイスは、それらが同時に通信することができるような状態または状況にあることと、それらが同時に通信することができないような状態または状況にあることとの間で推移し得る（たとえば、デバイスは、移動しているとき、新しいＡＰに関連付けするとき、関連付けから離れるときなどに、状態または状況を変化させ得る）。
【００４０】
[0048]  さらに、デバイスは、それらが他のデバイスと同時に通信すべき状態もしくは状況にあるデバイスであるか、またはそのような状態もしくは状況にないデバイスであるかに基づいて、別様に動作するように構成され得る。たとえば、同時に通信することができるような状態または状況にあるデバイスは、同じスペクトル（例えば、同じ周波数帯またはチャネル）内で通信し得る。しかし、同時に通信することができないような状態または状況にあるデバイスは、媒体を通じて通信するために、空間多重化または周波数領域多重化などの特定の技法を利用し得る。デバイスの挙動の制御は、ＡＰ２５４Ａ〜２５４Ｃおよび／またはＳＴＡ２５６Ａ〜２５６Ｈ内の高効率ワイヤレスコンポーネントによって実行され得る。
【００４１】
[0049]  いくつかの実装形態では、同時に通信することができないような状態または状況にあるデバイスは、媒体を通じて通信するために空間多重化技法を使用する。たとえば、別のデバイスによって送信されるパケットのプリアンブル内に、電力および／または他の情報が埋め込まれ得る。同時に通信することができないような状態または状況にあるデバイスは、媒体上でパケットが検知されたときにプリアンブルを解析し、一連の規則に基づいて送信すべきかどうかを決定することができる。
【００４２】
[0050]  別の実装形態では、同時に通信することができないような状態または状況にあるデバイスは、媒体を通じて同時に通信するために、周波数領域多重化技法を使用し得る。図３は、図１のワイヤレス通信システム１００および図２Ｂのワイヤレス通信システム２５０内で用いられ得る周波数多重化技法を示す。図３に示すように、ワイヤレス通信システム３００内にＡＰ３０４Ａ、３０４Ｂ、３０４Ｃ、および３０４Ｄが存在し得る。ＡＰ３０４Ａ、３０４Ｂ、３０４Ｃ、および３０４Ｄの各々は、異なるＢＳＡに関連付けられ、前述した高効率ワイヤレスコンポーネントを含み得る。
【００４３】
[0051]  一例として、通信媒体の周波数帯域幅は８０ＭＨｚであり得る。通常の８０２．１１プロトコルの下では、ＡＰ３０４Ａ、３０４Ｂ、３０４Ｃ、および３０４Ｄの各々ならびに各それぞれのＡＰに関連付けられたＳＴＡは、周波数帯域幅全体を使用して通信することを試み、これはスループットを低減し得る。しかしながら、周波数領域多重化を使用する高効率８０２．１１プロトコルの下では、周波数帯域幅は、４つの２０ＭＨｚ部分３０８、３１０、３１２、および３１４（たとえば、チャネル）に分割され得る。ＡＰ３０４Ａは、部分３０８に関連付けられ得、ＡＰ３０４Ｂは、部分３１０に関連付けられ得、ＡＰ３０４Ｃは、部分３１２に関連付けられ得、ＡＰ３０４Ｄは、部分３１４に関連付けられ得る（たとえば、ＡＰ３０４Ａ〜３０４Ｄの各々は異なるプライマリチャネルを有する）。
【００４４】
[0052]  いくつかの実装形態では、ＳＴＡが他のデバイスと同時に通信することができるような状態または状況にあるＡＰ３０４Ａ〜３０４ＤおよびＳＴＡのときには（たとえば、ＢＳＡの中心近くにあるＳＴＡが互いに通信しているときには）、各ＡＰ３０４Ａ〜３０４ＤおよびこれらのＳＴＡの各々は、８０ＭＨｚ媒体の一部分または全体を使用して通信することができる。しかしながら、ＳＴＡが他のデバイス（たとえば、ＢＳＡのエッジの近くにあるＳＴＡ）と同時に通信することができないような状態または状況にあるＡＰ３０４Ａ〜３０４ＤおよびＳＴＡが互いに通信しているときには、ＡＰ３０４ＡおよびそのＳＴＡは、２０ＭＨｚ部分３０８を使用して通信し、ＡＰ３０４ＢおよびそのＳＴＡは、２０ＭＨｚ部分３１０を使用して通信し、ＡＰ３０４ＣおよびそのＳＴＡは、２０ＭＨｚ部分３１２を使用して通信し、ＡＰ３０４ＤおよびそのＳＴＡは、２０ＭＨｚ部分３１４を使用して通信する。したがって、第１の部分を使用する第１の送信は、第２の部分を使用する第２の送信に干渉しないことになる。これにより、ＡＰおよび／またはＳＴＡは、それらが高効率ワイヤレスコンポーネントを含む他のデバイスと同時に通信することができないような状態または状況にあるものであっても、干渉なしに他のＡＰおよびＳＴＡと同時に通信することができる。したがって、ワイヤレス通信システム３００のスループットは増大し得る。
【００４５】
[0053]  図４は、図１、図２Ｂ、図３、および図５Ａ〜５Ｃのワイヤレス通信システム１００、２５０および／または３００内で用いられ得るワイヤレスデバイス４０２の機能ブロック図を示す。ワイヤレスデバイス４０２は、本明細書で説明する様々な方法を実装するように構成され得るデバイスの一例である。たとえば、ワイヤレスデバイス４０２は、ＡＰ１０４、ＳＴＡ１０６のうちの１つ、ＡＰ２５４のうちの１つ、ＳＴＡ２５６のうちの１つ、ＡＰ３０４のうちの１つ、ＡＰ５０４、および／またはＳＴＡ５０６Ａ〜５０６Ｆを備え得る。
【００４６】
[0054]  ワイヤレスデバイス４０２は、ワイヤレスデバイス４０２の動作を制御するプロセッサ４０４を含み得る。プロセッサ４０４は、また、中央処理装置（ＣＰＵ）とも呼ばれ得る。読取り専用メモリ（ＲＯＭ）とランダムアクセスメモリ（ＲＡＭ）との両方を含み得るメモリ４０６は、命令とデータとをプロセッサ４０４に提供し得る。メモリ４０６の一部分は、また、不揮発性ランダムアクセスメモリ（ＮＶＲＡＭ）も含み得る。プロセッサ４０４は、通常、メモリ４０６内に記憶されたプログラム命令に基づいて論理演算と算術演算とを実行する。メモリ４０６内の命令は、本明細書で説明する方法を実装するように実行可能であり得る。
【００４７】
[0055]  プロセッサ４０４は、１つもしくは複数のプロセッサによって実装された処理システムのコンポーネントであり得、またはそれを備え得る。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、ステートマシン、ゲート論理、ディスクリートハードウェアコンポーネント、専用のハードウェア有限ステートマシン、または情報の計算もしくは他の操作を実行することができる任意の他の好適なエンティティの任意の組合せで実装され得る。
【００４８】
[0056]  処理システムはまた、ソフトウェアを記憶するための非一時的なコンピュータ可読媒体を含み得る。ソフトウェアは、ソフトウェア、ファームウェア、ミドルウェア、マイクロコード、ハードウェア記述言語と呼ばれるか、またはそれ以外の名称で呼ばれるかにかかわらず、任意のタイプの命令を意味すると広く解釈されるべきである。命令は、コード（たとえば、ソースコードフォーマット、バイナリコードフォーマット、実行可能コードフォーマット、または任意の他の好適なフォーマットのコード）を含み得る。命令は、１つまたは複数のプロセッサによって実行されたとき、処理システムに、本明細書で説明する様々な機能を実行させる。
【００４９】
[0057]  ワイヤレスデバイス４０２はまた、ワイヤレスデバイス４０２とリモートロケーションとの間のデータの送信および受信を可能にするために送信機４１０および／または受信機４１２を含み得るハウジング４０８を含み得る。送信機４１０および受信機４１２は、組み合わされて、トランシーバ４１４になり得る。アンテナ４１６は、ハウジング４０８に取り付けられ、トランシーバ４１４に電気的に結合され得る。受信機４１２は、周波数帯域幅の第１の部分を通じて第１のメッセージを受信するための手段および／または周波数帯域幅の第２の部分を通じて送信要求（ＲＴＳ）メッセージに応答して送信可（ＣＴＳ）メッセージを受信するための手段を備え得、それらの手段の一部であり得、またはそれらの手段として知られ得る。同様に、送信機４１０は、ワイヤレスデバイス４０２が第１のメッセージの意図された受信先ではないときに周波数帯域幅の第２の部分にわたって送信要求メッセージを送信するための手段を備え得、それらの手段の一部であり得、またはそれらの手段として知られ得る。ワイヤレスデバイス４０２はまた、マルチプルな送信機、マルチプルな受信機、マルチプルなトランシーバ、および／またはマルチプルなアンテナを含み得る（図示せず）。
【００５０】
[0058]  ワイヤレスデバイス４０２はまた、トランシーバ４１４によって受信された信号のレベルを検出し、定量化するために使用され得る、信号検出器４１８を含み得る。信号検出器４１８は、総エネルギー、シンボルごとのサブキャリア当たりのエネルギー、電力スペクトル密度および他の信号などの信号を検出し得る。ワイヤレスデバイス４０２はまた、信号を処理する際に使用するデジタル信号プロセッサ（ＤＳＰ）４２０を含み得る。ＤＳＰ４２０は、送信のためのパケットを生成するように構成され得る。いくつかの態様では、パケットは物理レイヤデータユニット（ＰＰＤＵ）を備え得る。
【００５１】
[0059]  いくつかの態様では、ワイヤレスデバイス４０２は、ユーザインターフェース４２２をさらに備え得る。ユーザインターフェース４２２は、キーパッド、マイクロフォン、スピーカ、および／またはディスプレイを備え得る。ユーザインターフェース４２２は、ワイヤレスデバイス４０２のユーザに情報を伝達するおよび／またはユーザからの入力を受け取る、任意の要素またはコンポーネントを含み得る。
【００５２】
[0060]  いくつかの態様では、ワイヤレスデバイス４０２は、高効率ワイヤレスコンポーネント４２４をさらに備え得る。高効率ワイヤレスコンポーネント４２４は、分類器ユニット４２８と送信制御ユニット４３０とを含み得る。本明細書で説明するように、高効率ワイヤレスコンポーネント４２４は、干渉が生じない状況において媒体を通じた同時通信を可能にすることによって、ＣＳＭＡ機構の非効率性を最小限に抑える修正された機構をＡＰおよび／またはＳＴＡが使用することを可能にし得る。
【００５３】
[0061]  修正された機構は、分類器ユニット４２８および送信制御ユニット４３０によって実装され得る。いくつかの実装形態では、分類器ユニット４２８は、どのデバイスが他のデバイスと同時に通信することができるような状態または状況にあるのか、ならびにどのデバイスが他のデバイスと同時に通信することができないような状態または状況にあるのかを決定する。いくつかの実装形態では、送信制御ユニット４３０は、デバイスの挙動を制御する。たとえば、送信制御ユニット４３０は、いくつかのデバイスが同じ媒体（たとえば、同じ周波数帯および／またはチャネル）上で同時に送信することを可能にし、他のデバイスが空間多重化または周波数領域多重化技法を使用して送信することを可能にし得る。送信制御ユニット４３０は、分類器ユニット４２８によって行われた決定に基づいて、デバイスの挙動を制御し得る。したがって、いくつかの実装形態では、ＨＥＷコンポーネント４２４は、信号検出器４１８およびＤＳＰ４２０などの１つまたは複数の他のコンポーネントを備えるかまたは備えないかにかかわらず、ある持続時間について周波数帯域幅の第２の部分がアイドルであるかどうかを決定するための手段、ならびに／または装置が第１のメッセージの意図された受信先ではないときに周波数帯域幅の第２の部分を通じて第２のメッセージを送信するための手段を備え得、それらの手段の一部であり得、またはそれらの手段として知られ得る。
【００５４】
[0062]  ワイヤレスデバイス４０２の様々なコンポーネントは、バスシステム４２６によって一緒に結合され得る。バスシステム４２６は、たとえば、データバス、ならびに、データバスに加えて、電力バスと、制御信号バスと、ステータス信号バスとを含み得る。ワイヤレスデバイス４０２のコンポーネントは、何らかの他の機構を使用して、一緒に結合され得るか、または互いに対する入力を受け入れ、もしくは提供し得ることを当業者は諒解されよう。
【００５５】
[0063]  図４には、いくつかの別個のコンポーネントが示されているが、コンポーネントのうちの１つまたは複数が組み合わされ得るかまたは共通に実装され得ることを当業者は認識されよう。たとえば、プロセッサ４０４は、プロセッサ４０４に関して上記で説明した機能だけを実装するためでなく、信号検出器４１８および／またはＤＳＰ４２０に関して上記で説明した機能を実装するためにも使用され得る。さらに、図４に示すコンポーネントの各々は、複数の別個の要素を使用して実装され得る。
【００５６】
[0064]  図５Ａは、本開示の態様が使用され得るワイヤレス通信システム５００を示す。図５Ａに示されるように、ワイヤレス通信システム５００は、ＢＳＡ５０２を含む。ＢＳＡ５０２は、ＡＰ５０４とＳＴＡ５０６Ａ〜５０６Ｆとを含む。いくつかの実装形態では、ＡＰ５０４およびＳＴＡ５０６Ａ〜５０６Ｆは、各々、前述した高効率ワイヤレスコンポーネントを含む。他の実装形態では、ＡＰ５０４あるいはＳＴＡ５０６Ａ〜５０６Ｆのどちらかが本明細書に記載の高効率ワイヤレスコンポーネントを含む。
【００５７】
[0065]  図５Ａに示されるように、ＡＰ５０４およびＳＴＡ５０６Ａは、第１のメッセージ５１０を介して互いに通信し得る。すべてのＳＴＡ５０６Ａ〜５０６Ｆが、ＢＳＡ５０２における通信のために使用されるデフォルトチャネルである、プライマリチャネルにおいて、ＣＳＭＡバックオフプロシージャに従って動作し得る。いくつかの実装形態では、第１のメッセージ５１０は、ＡＰトラフィック通信であり得る。ＡＰ５０４およびＳＴＡ５０６Ｆは、メッセージ５１６を介して通信し得る。いくつかの実装形態では、メッセージ５１６は、また、ＡＰトラフィック通信であり得る。ＳＴＡ５０６ＢおよびＳＴＡ５０６Ｃは、第２のメッセージ５１２を介して互いに通信し得る。いくつかの実装形態では、第２のメッセージ５１２は、ピアツーピア通信であり得る。ＳＴＡ５０６ＤおよびＳＴＡ５０６Ｅは、メッセージ５１４を介して互いに通信し得る。いくつかの実装形態では、メッセージ５１４は、また、ピアツーピア通信であり得る。図示していないが、ＡＰ５０４およびＳＴＡ５０６Ｂ〜５０６Ｅは、互いに通信する能力も有し得る。同様に、図示していないが、ＳＴＡ５０６Ａおよび５０６Ｆは、また、互いに通信する能力を有し得る。
【００５８】
[0066]  いくつかの実装形態では、ＡＰ５０４は、周波数帯域幅の第１の部分（例えば、８０ＭＨｚＢＳＳ周波数帯域幅のうちの１つのチャネルまたは２０ＭＨｚ）を通じてＳＴＡ５０６Ａに第１のメッセージ５１０を送信する。いくつかの態様では、ＡＰ５０４は、プライマリチャネル上で第１のメッセージ５１０を送信する。次いで、ＳＴＡ５０６Ｂは、周波数帯域幅の第２の部分（例えば、８０ＭＨｚＢＳＳ周波数帯域幅の残りの６０ＭＨｚまたは残りの利用可能なチャネル）上でＳＴＡ５０６Ｃに第２のメッセージ５１２を同時に送信し得る。いくつかの態様では、第１のメッセージ５１０および第２のメッセージ５１２が、各々物理レイヤデータユニット（ＰＰＤＵ）を備え得、それぞれ、ＰＰＤＵ１およびＰＰＤＵ２と呼ばれ得る。いくつかの態様では、第１のメッセージ５１０は、他のＳＴＡおよびＡＰが第１のメッセージ５１０の発信元（ＡＰ５０４）、宛先（ＳＴＡ５０６Ａ）、またはその両方をそれから決定することのできる識別子を含む信号（ＳＩＧ）フィールドを備え得る。言い換えれば、ＳＴＡおよびＡＰは、周波数帯域幅（たとえば、ＳＴＡ５０６Ｂおよび５０６Ｃ）の残りの部分において送信または受信することを望むＳＴＡのいずれかが第１のメッセージ５１０の意図された受信先または送信元であるかどうかを識別子から決定することができる。
【００５９】
[0067]  ＳＴＡ５０６Ｂおよび５０６Ｃがいずれも第１のメッセージ５１０の意図された受信先または送信元ではない場合、ＳＴＡ５０６Ｂは、周波数帯域幅の残りの部分でＳＴＡ５０６Ｃに第２のメッセージ５１２を送信し得る。いくつかの実装形態では、第２のメッセージ５１２についての送信時間は、第１のメッセージ５１０についての送信時間に基づき得る。例えば、いくつかの態様では、第２のメッセージ５１２についての送信時間は、第１のメッセージ５１０についての送信時間によって使用される時間に制限され得る（たとえば、第２のメッセージ５１２についての送信時間の終わり（end）は、第１のメッセージ５１０についての送信時間の終わりと同じか、もしくはそれよりも早くに起こり、または第１のメッセージ５１０についての送信時間の終わりを超えて延びない）。この態様では、第２のメッセージ５１２についての限られた送信時間は、周波数帯域幅の第１の部分（たとえば、プライマリチャネル５２６）および周波数帯域幅の第２の部分（たとえば、チャネル５２０、５２２、５２４）が第１のメッセージ５１０の送信時間の終わりにおいてアイドルであることを保証する。ゆえに、第１のメッセージ５１０および第２のメッセージ５１２の送信後、すべてのＳＴＡ５０６は、共通のチャネル上での通常のＣＳＭＡプロシージャに戻り得る。
【００６０】
[0068]  いくつかの実装形態では、ＳＴＡ５０６Ｂは、送信前にチャネルがアイドルであるかどうかを決定するために、周波数帯域幅の第２の部分に対してクリアチャネルアクセス（ＣＣＡ）プロシージャを実行し得る。いくつかの実装形態では、第１のメッセージ５１０のプリアンブルの検出後、ＳＴＡ５０６Ｂは、ポイント協調機能インターフレームスペース（ＰＩＦＳ）時間について周波数帯域幅の第２の部分においてＣＣＡをチェックし得る。次いで、ＳＴＡ５０６Ｂは、アイドルである第２の部分のチャネル上で送信し得る。別の実装形態では、第１のメッセージ５１０のプリアンブルを検出した後、ＳＴＡ５０６Ｂは、周波数帯域幅の第２の部分内の指定された「代替のプライマリチャネル」に対してバックオフプロシージャを実行し得る。バックオフプロシージャは、周波数帯域幅の第２の部分内の１つまたは複数のチャネル（例えば、代替のプライマリチャネル）がアイドルである間バックオフタイマーをデクリメントすることを備え得る。したがって、いくつかの実装形態では、バックオフタイマーをデクリメントするための手段が、ＳＴＡ５０６Ｂ内のプロセッサを構成し得る。いくつかの実装形態では、ＡＰ５０４は、代替のプライマリチャネルを指定し得る。いくつかの実装形態では、代替のプライマリチャネルは、プリネゴシエートされ得る。他の実装形態では、代替のプライマリチャネルは、第１のメッセージ５１０によって使用される周波数帯域幅に応じて導出され得る。バックオフタイマーが満了したら、ＳＴＡ５０６Ｂは、バックオフタイマーの満了前にＰＩＦＳ時間についてチャネルがアイドルであったことを条件に、周波数帯域幅の第２の部分内の代替のプライマリチャネルおよび他のチャネル上で第２のメッセージ５１２を送信し得る。ＰＩＦＳ時間についてアイドルであり、第２のメッセージ５１２の送信のために利用可能な、周波数帯域幅の第２の部分内の代替のプライマリチャネルおよび／または他のチャネルは、「周波数帯域幅の第３の部分」とみなされ得る。したがって、周波数帯域幅の第３の部分は、周波数帯域幅の第２の部分に含まれる。
【００６１】
[0069]  いくつかの実装形態では、受信機ＳＴＡ５０６Ｃは、周波数帯域幅の第２の部分において、それに宛てられた入来する可能性のあるパケットを検出し得る。第１のメッセージ５１０がＳＴＡ５０６ＢおよびＳＴＡ５０６Ｃの両方によって検出された場合、ＳＴＡ５０６Ｃは、それが第１のメッセージ５１０の意図された受信先ではないことを決定し得、したがって、ＳＴＡ５０６Ｃは、代替のプライマリチャネルにおけるような、周波数帯域幅の第２の部分において入来するパケットを検出するためにそれのパケット検出能力を調整し得る。第２のメッセージ５１２の送信は、第１のメッセージ５１０に対していくらかの遅延を伴って始まり、ＳＴＡ５０６Ｃが第１のメッセージ５１０のプリアンブルをデコードすることを可能にし、それがその受信能力を異なるチャネルに同調させる必要があるかどうかを決定し、そうである場合、異なるチャネルへと同調し得る。
【００６２】
[0070]  ＳＴＡ５０６Ｃは、また、プライマリチャネルおよび代替のプライマリチャネルの両方など、マルチプルなチャネル上で入来するパケットを同時に検出することが可能であり得、その場合、ＳＴＡ５０６Ｃは、それのパケット検出能力を調整する必要がないことがある。
【００６３】
[0071]  別の実装形態では、第１のメッセージ５１０は、ＳＴＡ５０６Ｂによって検出されるが、ＳＴＡ５０６Ｃによっては検出されないことがある。この場合、ＳＴＡ５０６Ｃは、送信が周波数帯域幅の第１の部分または第２の部分にあり得るかどうかに関する情報をもたないが、ＳＴＡ５０６Ｂは、周波数帯域幅の第２の部分においてＳＴＡ５０６Ｃを対象とする送信を開始し得る。同様に、第１のメッセージ５１０は、ＳＴＡ５０６Ｃによって検出されるが、ＳＴＡ５０６Ｂによっては検出されないことがある。この場合、ＳＴＡ５０６Ｂは、周波数帯域幅の第１の部分においてＳＴＡ５０６Ｃを対象とする送信を開始し得、一方、ＳＴＡ５０６Ｃは、周波数帯域幅の第２の部分に切り替わり得る。これらの場合、ＳＴＡ５０６Ｃは、それがマルチプルなチャネルで入来するパケットを同時に検出可能でない限り、ＳＴＡ５０６Ｂからの送信を受信することが可能でないことがあり得る。いくつかの実装形態では、ＳＴＡ５０６Ｂは、ＳＴＡ５０６Ｃが正しいチャネルにあることを保証するのに役立つように、ＲＴＳ／ＣＴＳを伴ってその送信を開始し得る。
【００６４】
[0072]  いくつかの実装形態では、ＡＰ５０４Ａは、第１のメッセージ５１０の送信に先行して、プライマリチャネル上で送られる第１のショートパケットの送信を行うことができ、該第１のパケットは、第１のメッセージ５１０が周波数帯域幅の第１の部分で送られることをアナウンスする。第１のショートパケットを受信すると、ＳＴＡ５０６Ｂは、第２のメッセージ５１２が周波数帯域幅の第２の部分で送信されることを示す第２のショートパケットを送信し得る。第２のショートパケットを受信すると、ＳＴＡ５０６Ｃは、第２のメッセージ５１２の受信のために正しいチャネルに同調し得る。
【００６５】
[0073]  第１および第２のショートパケットが送信されるタイミングについて複数のオプションが可能である。いくつかの実装形態では、時間ウィンドウが、プライマリチャネル上で第１のショートパケットと第１のメッセージ５１０との間で予約されることができ、ＳＴＡ５０６Ｂは、ＣＳＭＡに基づいてこの時間ウィンドウにおいて第２のショートパケットを送り得る。第２のショートパケットは、意図された受信先、すなわちＳＴＡ５０６Ｃと、使用されたチャネルとを示し、したがって、意図された受信先は、受信のためにそれらのチャネルに同調し得る。いくつかの態様では、第２のショートパケットを送信することを競合するマルチプルなＳＴＡが存在し得る。送信成功された第１のショートパケットがすべての利用可能なチャネルを使用することを示さない場合、他のＳＴＡは、予約された時間ウィンドウ内の残りの利用可能なチャネルについて競合し続け得る。他の実装形態では、ＡＰ５０４は、第１のショートパケットの後であるが第１のメッセージ５１０の前に第２のショートパケットを送信し得る、選択されたノード、例えばＳＴＡ５０６Ｂを、第１のショートパケットにおいて示すことができる。これは、前述のインプリメンテーションにおけるオーバーヘッドおよびコリジョンをなくすことができる。また、ＳＴＡごとの第２のショートパケットの送信時間スケジュールおよび使用されたチャネルを指定し得る、第１のショートパケット内で示される、マルチプルなＳＴＡも存在し得る。他の実装形態では、すべてのチャネルが使用されるわけではない場合、ＡＰ５０４およびＳＴＡ５０６Ａは、第１のメッセージ５１０の前にプライマリチャネル上でＲＴＳ／ＣＴＳを交換し得る。ＲＴＳまたはＣＴＳのいずれかを受信した後、他のＳＴＡは、潜在的な受信のためにＲＴＳまたはＣＴＳにおいて示された使用されていないチャネルに同調し得る。
【００６６】
[0074]  いくつかの実装形態では、隣接チャネル干渉を制限するために、追加的な制約がなされ得る。いくつかの態様では、第１のメッセージ５１０の送信（ＴＸ）電力、第１のメッセージ５１０の受信信号強度インジケータ（ＲＳＳＩ）、またはその両方が特定のしきい値を満たさない限り、ＳＴＡ５０６Ｂは、第２のメッセージ５１２を送信しないことがある。いくつかの態様では、第１のメッセージ５１０のＲＳＳＩのしきい値が、所期の送信電力および基準送信電力に基づき得る。たとえば、いくつかの実装形態では、第１のメッセージ５１０のＲＳＳＩは、セカンダリＣＣＡしきい値に、基準送信電力と所期の送信電力との間の差を加えたものよりも、小さいものでなければならない（たとえば、第１のメッセージ５１０のＲＳＳＩ＜ Secondary_CCA_threshold ＋（基準送信電力−所期の送信電力）。他の実装形態では、ＡＰ５０４またはＳＴＡ５０６Ｂは、チャネル干渉を制限するために送信要求／送信可（ＲＴＳ／ＣＴＳ）プロシージャを使用し得る。ＲＴＳ／ＣＴＳプロシージャでは、ＡＰ５０４またはＳＴＡ５０６Ｂが、ＰＰＤＵの意図された受信先（それぞれＳＴＡ５０６ＡとＳＴＡ５０６Ｃ）にＲＴＳメッセージを送信し得、意図された受信先は、ＲＴＳに応答してＣＴＳメッセージを送信する。いくつかの態様では、ＡＰ５０４は、第１のメッセージ５１０を送信する前にＲＴＳ／ＣＴＳプロシージャを使用し得る。いくつかの態様では、ＳＴＡ５０６Ｂは、第２のメッセージ５１２を送信する前にＲＴＳ／ＣＴＳプロシージャを使用し得る。
【００６７】
[0075]  図５Ｂは、本開示の態様が使用され得るタイミング図を示す。図５Ｂに示されるように、通信媒体は４つのチャネル、すなわち、チャネル５２０、チャネル５２２、チャネル５２４、およびチャネル５２６に分けられる。いくつかの実装形態では、チャネル５２０、５２２、５２４、５２６は、連続的である（例えば、各チャネル５２０、５２２、５２４、５２６は、１０００ＭＨｚ〜１０８０ＭＨｚなど、連続した２０ＭＨｚ周波数範囲をカバーする）。他のいくつかの実装形態では、チャネル５２０、５２２、５２４、５２６は、連続的ではない。図５Ｂは４つのチャネルを示しているが、これは単なる一例にすぎず、本明細書に開示の技術は、任意の数のチャネルに適用され得る。
【００６８】
[0076]  いくつかの実装形態では、ＡＰ５０４は、チャネル５２６上で（例えば、チャネル５２０、５２２、５２４、５２６によって定められる周波数帯域幅の第１の部分を通じて）、ＳＴＡ５０６Ａに第１のメッセージ５１０を送信する。一態様では、チャネル５２６はプライマリチャネルであり、すべてのＳＴＡは、プライマリチャネル５２６におけるＣＳＭＡバックオフプロシージャを伴って動作する。他の実装形態では、第１のメッセージ５１０は、ＡＰ５０４を第１のメッセージ５１０の発信元として識別する、またはＳＴＡ５０６Ａを第１のメッセージ５１０についての宛先として識別する、あるいはその両方である、識別子（図示せず）を含む。いくつかの態様では、第１のメッセージ５１０は、識別子（図示せず）を含む信号フィールド（ＳＩＧフィールド、図示せず）を備える。いくつかの態様では、第１のメッセージ５１０は、第１のメッセージ５１０の持続時間を示す持続時間フィールド（図示せず）を備える。残りのチャネル（たとえば、周波数帯域幅の第２の部分としても知られる、ＣＨ５２０、５２２、５２４）上で送信したいＳＴＡは、識別子を使用して、それらが第１のメッセージ５１０の意図された受信先ではないことを決定し得、次いで、使用されていないチャネル上で送信し得る。
【００６９】
[0077]  一態様では、ＳＴＡ５０６Ｂは、それがＡＰ５０４によって送信された第１のメッセージ５１０の意図された受信先ではないと決定した後、ＳＴＡ５０６Ｃに第２のメッセージ５１２を送信し得る。ＳＴＡ５０６Ｂは、周波数帯域幅の第２の部分（例えば、ＣＨ５２０、５２２、５２４）を通じて第２のメッセージ５１２を送信することを試行し得る。送信の前に、ＳＴＡ５０６Ｂは、残りのチャネルがアイドルであることを確認するために周波数帯域幅の第２の部分（例えば、６０ＭＨｚ）においてＣＣＡプロシージャを実行し得る。ＳＴＡ５０６Ｂは、ＡＰ５０４によって送信された第１のメッセージ５１０のプリアンブルを検出した後、ＰＩＦＳ時間について周波数帯域幅の第２の部分上でＣＣＡをチェックし得る。図５Ｂに示されるように、ＳＴＡ５０６Ｂは、ＣＨ５２０、５２２、５２４においてＣＣＡをチェックし、ＣＨ５２４はビジーであるが、ＣＨ５２０および５２２はアイドルであると決定する。ＳＴＡ５０６Ｂは、次いで、ＰＩＦＳ時間の後、ＣＨ５２０および５２２を通じてＳＴＡ５０６Ｃに第２のメッセージ５１２を送信し得る。
【００７０】
[0078]  いくつかの態様では、第２のメッセージ５１２は、ＳＴＡ５０６Ａに第１のメッセージ５１０を送信するためにＡＰ５０４によって使用された時間に制限され得る。一態様では、ＳＴＡ５０６Ｂは、ＡＰ５０４によって送信された第１のメッセージ５１０の持続時間フィールドを読み取り、第２のメッセージ５１２の送信時間を、第１のメッセージ５１０の持続時間フィールドにおいて示された持続時間に制限し得る。いくつかの実装形態では、第２のメッセージ５１２は、ＰＰＤＵを備え得る。第２のメッセージ５１２をＡＰ５０４によって送信された第１のメッセージ５１０の持続時間に制限することによって、ＳＴＡ５０６Ｂは、すべてのＳＴＡ５０６が共通チャネル上での通常のＣＳＭＡプロシージャに戻り得ることを保証し得る。いくつかの態様では、第２のメッセージ５１２は、隣接チャネル干渉を制限し得るさらなる制限を受け得る。いくつかの態様では、このような制限は、ＡＰ５０４によって送られた第１のメッセージ５１０のＲＳＳＩに基づく制限を含み得、または、制限は、ＳＴＡ５０６ＢにＲＴＳ／ＣＴＳプロシージャを実行することを要求し得る。改善された性能のための他の制限もまた可能である。
【００７１】
[0079]  図５Ｃは、本開示の態様が使用され得る、別のタイミング図を示す。図５Ｃは、チャネル５２０が図５Ｃでは代替のプライマリチャネルであることを除いて、図５Ｂと同じ要素を示す。いくつかの実装形態では、ＡＰ５０４は、代替のプライマリチャネル５２０を指定し得る。いくつかの実装形態では、代替のプライマリチャネル５２０は、プリネゴシエートされ得る。この実装形態では、ＳＴＡ５０６Ｂは、残りのチャネル５２０、５２２、５２４がアイドルであることを確かめるために、周波数帯域幅の第２の部分（例えば、６０ＭＨｚ）において図５Ｂに示されたプロシージャとは異なるＣＣＡプロシージャを実行し得る。ＳＴＡ５０６Ｂは、ＡＰ５０４によって送られた第１のメッセージ５１０のプリアンブルを検出した後、周波数帯域幅の第２の部分内で指定された代替のプライマリチャネル（たとえばＣＨ５２０）においてバックオフプロシージャを実行し得る。代替のプライマリチャネル（たとえば、周波数帯域幅の第３の部分）においてバックオフタイマーが満了したら、ＳＴＡ５０６Ｂは、バックオフタイマーの満了前のＰＩＦＳ時間について他のチャネルがアイドルであったことを条件に、代替のプライマリチャネルにおいて、および周波数帯域幅の残りの部分の他のチャネルにおいて、送信し得る。図５Ｃに示されるように、ＳＴＡ５０６Ｂは、代替のプライマリチャネルであるＣＨ５２０上でバックオフを実施する。バックオフの後、ＳＴＡ５０６Ｂは、ＣＨ５２４はビジーであるが、ＣＨ５２２はアイドルであることを決定する。ＳＴＡ５０６Ｂは、次いで、バックオフ時間の後、チャネル５２０および５２２を通じてＳＴＡ５０６Ｃに第２のメッセージ５１２を送信し得る。図５Ｂに関して前述した同じ制限が、また、図５Ｃにおける第１のメッセージ５１０および第２のメッセージ５１２にも適用され得る。
【００７２】
[0080]  図６は、ワイヤレス通信のための方法６００のフローチャートである。いくつかの実装形態では、方法６００は、ＡＰ５０４またはＳＴＡ５０６などのＡＰまたはＳＴＡによって実施され得る。方法６００は、周波数帯域幅の第１の部分を通じて第１のメッセージを受信することを含むブロック６０２から始まることができ、ここで、第１のメッセージは、送信元である第１のワイヤレスデバイスおよび意図された受信先である第２のワイヤレスデバイスの識別子を含む。たとえば、図５Ａ〜５Ｃに関して前述したように、ＳＴＡ５０６Ｂは、第１のメッセージ５１０の送信元である第１のワイヤレスデバイス（例えば、ＡＰ５０４）および意図された受信先である第２のワイヤレスデバイス（例えば、ＳＴＡ５０６Ａ）の識別子を含む、第１のメッセージ５１０を受信し得る。
【００７３】
[0081]  方法６００は、次いで、ポイント協調機能インターフレームスペース（ＰＩＦＳ）時間とバックオフタイマーが満了するために必要な時間とのうちの少なくとも１つを含む持続時間について帯域幅の第２の部分がアイドルであるかどうかを決定することを含む、ブロック６０４に進み得る。例えば、図５Ｂに関して前述したように、第１のメッセージ５１０を受信した後、ＳＴＡ５０６Ｂは、周波数帯域幅の第２の部分（例えば、ＣＨ５２０、５２２、５２４）がある持続時間についてアイドルであるかどうかを決定し得る。図５Ｂに関して、この持続時間は、ＰＩＦＳ時間として説明される。図５Ｃに関して、この持続時間は、バックオフタイマーが満了するために必要な時間量として説明され、その後、代替のプライマリチャネル５２０上で、ならびに少なくともＰＩＦＳ時間についてアイドルであった他の任意のチャネル上で、送信が起こり得る。
【００７４】
[0082]  方法６００は、次いで、第３のワイヤレスデバイスによって周波数帯域幅の第２の部分を通じて第２のメッセージを送信することを含む、ブロック６０６に進み、ここで、第２のメッセージは、第１のメッセージの送信時間を超えて延びない限られた送信時間を有し、それによって、第１のメッセージの送信時間の少なくとも終了後に使用するための周波数帯域幅の第１および第２の部分のアベイラビリティを可能にし、ここで、第３のワイヤレスデバイスは、第１のメッセージの意図された受信先ではない。例えば、図５Ａ〜５Ｃに関して前述したように、ＳＴＡ５０６Ｂが、第１のメッセージ５１０内の識別子に基づいて、ＳＴＡ５０６ＢもＳＴＡ５０６Ｃも第１のメッセージ５１０の送信元でも意図された受信先でもないと決定したら、そして、他のチャネル５２０、５２２、５２４のうちの少なくとも１つが持続時間（例えば、バックオフ時間および／またはＰＩＦＳ時間）についてアイドルであった後に、ＳＴＡ５０６Ｂは、チャネル５２４はビジーであり、チャネル５２６は第１のメッセージ５１０が現在送信されているチャネルであるので、チャネル５２０および５２２においてＳＴＡ５０６Ｃに第２のメッセージ５１２を送信し得る。これにより、少なくともチャネル５２０、５２２、５２６が、第１のメッセージ５１０の送信時間の少なくとも終了後に、使用のために利用可能であることが保証される。
【００７５】
[0083]  本明細書で使用する「決定すること」という用語は、多種多様なアクションを包含する。たとえば、「決定すること」は、計算すること、算出すること、処理すること、導出すること、調査すること、探索すること（たとえば、テーブル、データベース、または別のデータ構造の中で探索すること）、確認することなどを含み得る。また、「決定すること」は、受信すること（たとえば、情報を受信すること）、アクセスすること（たとえば、メモリ中のデータにアクセスすること）などを含み得る。また、「決定すること」は、解決すること、選択すること、選定すること、確立することなどを含み得る。さらに、本明細書で使用する「チャネル幅」は、いくつかの態様では周波数帯域幅を包含する場合があるか、または帯域幅と呼ばれる場合もある。
【００７６】
[0084]  本明細書で使用する項目のリスト「のうちの少なくとも１つ」を指す句は、単一のメンバーを含む、それらの項目の任意の組合せを指す。一例として、「ａ、ｂ、またはｃのうちの少なくとも１つ」は、ａと、ｂと、ｃと、ａ−ｂと、ａ−ｃと、ｂ−ｃと、ａ−ｂ−ｃとを包含するものとする。
【００７７】
[0085]  上記で説明した方法の様々な動作は、様々なハードウェアおよび／またはソフトウェアコンポーネント、回路、ならびに／あるいはモジュールなど、それらの動作を実行することが可能な任意の好適な手段によって実行され得る。一般に、図に示す任意の動作は、それらの動作を実行することが可能な対応する機能的手段によって実行され得る。
【００７８】
[0086]  本開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）もしくは他のプログラマブル論理デバイス（ＰＬＤ）、ディスクリートゲートもしくはトランジスタ論理、ディスクリートハードウェアコンポーネント、または本明細書で説明する機能を実行するように設計されたそれらの任意の組合せによって実装または実行され得る。汎用プロセッサはマイクロプロセッサであり得るが、代替として、プロセッサは、任意の市販のプロセッサ、コントローラ、マイクロコントローラ、またはステートマシンであり得る。プロセッサはまた、コンピューティングデバイスの組合せ、たとえば、ＤＳＰとマイクロプロセッサの組合せ、複数のマイクロプロセッサ、ＤＳＰコアと連携する１つまたは複数のマイクロプロセッサ、あるいは任意の他のそのような構成として実装され得る。
【００７９】
[0087]  １つまたは複数の態様では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶され得るか、またはコンピュータ可読媒体を通じて送信され得る。コンピュータ可読媒体は、ある場所から別の場所へのコンピュータプログラムの転送を容易にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭもしくは他の光ディスクストレージ、磁気ディスクストレージもしくは他の磁気ストレージデバイス、または、命令もしくはデータ構造の形態の所望のプログラムコードを搬送もしくは記憶するために使用され得、コンピュータによってアクセスされ得る、任意の他の媒体を備え得る。また、任意の接続が、適切にコンピュータ可読媒体と呼ばれる。たとえば、ソフトウェアが、同軸ケーブル、光ファイバケーブル、ツイストペア、デジタル加入者線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザーで光学的に再生する。したがって、いくつかの態様では、コンピュータ可読媒体は、非一時的コンピュータ可読媒体（たとえば有形媒体）を備え得る。加えて、いくつかの態様では、コンピュータ可読媒体は、一時的コンピュータ可読媒体（たとえば信号）を備え得る。上述の組合せもコンピュータ可読媒体の範囲内に含まれるべきである。
【００８０】
[0088]  したがって、いくつかの態様は、本明細書で提示する動作を実行するためのコンピュータプログラム製品を備え得る。たとえば、そのようなコンピュータプログラム製品は、本明細書で説明する動作を実行するために１つまたは複数のプロセッサによって実行可能である命令を記憶した（および／または符号化された）コンピュータ可読媒体を備え得る。いくつかの態様では、コンピュータプログラム製品はパッケージング材料を含み得る。
【００８１】
[0089]  本明細書で開示する方法は、説明した方法を達成するための１つまたは複数のステップまたはアクションを備える。本方法のステップおよび／またはアクションは、特許請求の範囲から逸脱することなく、互いに交換され得る。言い換えれば、ステップまたはアクションの特定の順序が指定されていない限り、特定のステップおよび／またはアクションの順序および／または使用は、特許請求の範囲から逸脱することなく、変更され得る。
【００８２】
[0090]  ソフトウェアまたは命令は、伝送媒体を通じて送信されることもある。たとえば、ソフトウェアが、同軸ケーブル、光ファイバケーブル、ツイストペア、デジタル加入者線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、伝送媒体の定義に含まれる。
【００８３】
[0091]  さらに、本明細書で説明する方法および技法を実行するためのモジュールおよび／または他の適切な手段は、適用可能な場合、ユーザ端末および／または基地局によってダウンロードされ得るおよび／または他の方法で取得され得ることを諒解されたい。たとえば、そのようなデバイスは、本明細書で説明する方法を実行するための手段の伝達を容易にするためにサーバに結合され得る。代替的に、本明細書で説明する様々な方法は、ユーザ端末および／または基地局が記憶手段をデバイスに結合するかまたは提供すると様々な方法を取得することができるように、記憶手段（たとえば、ＲＡＭ、ＲＯＭ、コンパクトディスク（ＣＤ）またはフロッピーディスクなどの物理記憶媒体など）を介して提供され得る。さらに、本明細書で説明する方法および技法をデバイスに提供するための任意の他の好適な技法が用いられ得る。
【００８４】
[0092]  特許請求の範囲は、上記で示した厳密な構成およびコンポーネントに限定されないことを理解されたい。上記で説明した方法および装置の配置、動作、および詳細において、特許請求の範囲から逸脱することなく、様々な修正、変更、および変形が行われ得る。
【００８５】
[0093]  上記は、本開示の態様を対象としたものであるが、本開示の基本的な範囲から逸脱することなく、本開示の他の態様およびさらなる態様が考案され得、本開示の範囲は、以下の特許請求の範囲によって決定される。
【図１】
2017512029.tif 000003
【図２Ａ】
2017512029.tif 000004
【図２Ｂ】
2017512029.tif 000005
【図３】
2017512029.tif 000006
【図４】
2017512029.tif 000007
【図５Ａ】
2017512029.tif 000008
【図５Ｂ】
2017512029.tif 000009
【図５Ｃ】
2017512029.tif 000010
【図６】
2017512029.tif 000011
【国際調査報告】
2017512029.tif 000012
2017512029.tif 000013
2017512029.tif 000014